(57)【特許請求の範囲】
【請求項１】
対物レンズと、該対物レンズの像面あるいはその近傍に配設したコンデンサレンズと、該コンデンサレンズより後方に配設した接眼レンズとによってアフォーカル系に変換するケプラー光学系であって、
上記コンデンサレンズが、正のパワーをもつレンズと負のパワーをもつレンズとを含む少なくとも３枚構成であり、全体として正のパワーを有するようにしたことを特徴とするケプラー光学系。
【請求項２】
請求項１記載のケプラー光学系において、上記コンデンサレンズは、上記対物レンズ側から順に、該対物レンズ側に凸面を向けた正のパワーをもつ第１レンズと、負のパワーをもつ第２レンズと、上記接眼レンズ側に凸面を向けた正のパワーをもつ第３レンズとをそれぞれ分離して配し、以下の条件式を満足することを特徴とするケプラー光学系。
（１）｜ｒ６｜＜｜ｒ７｜，｜ｒ１０｜＜｜ｒ１１｜
（２）  Ｙ／Ａ＜２．５
但し    ｒ６：コンデンサレンズの第１面
ｒ７：コンデンサレンズの第２面
ｒ１０：コンデンサレンズの第５面
ｒ１１：コンデンサレンズの第６面
Ｙ：コンデンサレンズの第１面から第６面までの長さ
Ａ：コンデンサレンズの最大有効径
【発明の詳細な説明】
【０００１】
【発明の属する技術分野】
この発明は、主としてカメラのファインダや望遠鏡に用いられるケプラー光学系に関する。
【０００２】
【従来の技術】
この種のケプラー光学系は、比較的高いファインダ倍率が得やすく、且つ視野枠を明僚に見ることができるため、従来からカメラのファインダや望遠鏡にしばしば利用されている。
【０００３】
しかし、広視界のケプラー光学系では、アイポイントの位置が視角とともに変動することがあり、このような場合には眼を動かすと視界の一部が図３の（ａ），（ｂ）に示すように半月状のかげりＳＨが発生し、一度に同じ位置から全視野を見渡すことができないきらいがある。これは、瞳の球面収差がその原因であり、通常「隠元豆効果」と称されている。
【０００４】
このようなケプラー光学系において、射出瞳の位置を適宜に調節するため、従来からコンデンサレンズあるいはフィールドレンズと称されるレンズを対物レンズの像面に一致させて、あるいは上記像面の近傍に設けることがある。そして、ケプラー光学系のコンデンサレンズは通常１枚乃至２枚の凸レンズで構成されている。
【０００５】
【発明が解決しようとする課題】
このようなコンデンサレンズを設けた従来のケプラー光学系にあっては、コンデンサレンズが凸レンズのみの構成であったので、瞳の球面収差や像面湾曲が発生するという問題点があった。
また、コンデンサレンズを対物レンズの結像位置から離した場合には非点隔差を始めとする諸収差が発生しやすくなる点にも問題があった。
【０００６】
この発明は上記の点に鑑みてなされたものであり、瞳の球面収差を始め、その他の諸収差を良好に補正し、見やすいケプラー光学系を提供することを目的とする。
【０００７】
【課題を解決するための手段】
この発明は上記の目的を達成するため、対物レンズと、この対物レンズの像面あるいはその近傍に配設したコンデンサレンズと、このコンデンサレンズより後方に配設した接眼レンズとによってアフォーカル系に変換するケプラー光学系であって、上記コンデンサレンズが、正のパワーをもつレンズと負のパワーをもつレンズとを含む少なくとも３枚構成であり、全体として正のパワーを有するようにしたケプラー光学系を提供するものである。
【０００８】
そして、上記のケプラー光学系において、上記コンデンサレンズは、上記対物レンズ側から順に、この対物レンズ側に凸面を向けた正のパワーを持つ第１レンズと、負のパワーをもつ第２レンズと、上記接眼レンズ側に凸面を向けた正のパワーをもつ第３レンズとをそれぞれ分離して配し、以下の条件式を満足するのが好ましい。
（１）  ｜ｒ６｜＜｜ｒ７｜，｜ｒ１０｜＜｜ｒ１１｜
（２）  Ｙ／Ａ＜２．５
但し、｜ｒ６｜：コンデンサレンズの第１面
｜ｒ７｜：コンデンサレンズの第２面
｜ｒ１０｜：コンデンサレンズの第５面
｜ｒ１１｜：コンデンサレンズの第６面
Ｙ：コンデンサレンズの第１面から第６面までの長さ
Ａ：コンデンサレンズの最大有効径
Ｕ´：見かけの視界の半角
【０００９】
【発明の実施の形態】
以下、この発明の実施形態を図面に基づいて具体的に説明する。
この発明によるケプラー光学系は、対物レンズにより形成される像面あるいはその近傍に配設したコンデンサレンズを、正のパワーをもつレンズと、負のパワーをもつレンズとを含む３枚以上のレンズから構成し、全体としては正のパワーを有するようにしたものである。
【００１０】
このように、コンデンサレンズの中に少なくとも１枚の凹レンズを挿入することにより、瞳の球面収差と像面湾曲を補正することが可能になる。
そして、上記のコンデンサレンズを、対物レンズ側から順に、この対物レンズ側に正のパワーをもつ第１レンズと、負のパワーをもつ第２レンズと、正のパワーをもつ第３レンズとからなるようにすると、必要最小限の枚数で効果的な収差補正が可能になる。
【００１１】
また、上記の第１，第２，第３レンズをすべて分離して設けることにより収差補正の自由度を大きくすることができ、第１レンズの対物レンズ側の面と、第３レンズの接眼レンズ側の面をそれぞれの側に凸とすることにより、像面の倒れや非点隔差の悪化を防止することができる。
【００１２】
さらに、すでに述べた条件式（１）も像面の倒れと非点隔差の悪化を防止するためのものであり、条件式（２）は、コンデンサレンズの長さを規定する式であって、Ｙ／Ａの値を上限値２．５より下まわるようにすることによりコンパクトなコンデンサレンズを得ることが可能になる。
【００１３】
【実施例】
次に、この発明を一眼レフカメラのプリズムファインダ用アングルファインダに実施した実施例を示す。
図１は、この発明の一実施例をカメラ側のプリズムファインダとともに示す構成図、図２はその収差曲線図である。
【００１４】
まず、このアングルファインダを装着しようとするプリズムファインダＰＦの諸元を表１に示す。
【００１５】
【表１】
0004187310.tif 000002
但し、Ｒ１〜Ｒ１５：ＰＦ各面の曲率半径
Ｄ１〜Ｄ１４：ＰＦ各面の面間隔
Ｎ１〜Ｎ８：ＰＦ各プリズム及び各レンズの屈折率
ν１〜ν８：ＰＦ各プリズム及び各レンズのアッペ数
【００１６】
次に、上記のようなプリズムファインダＰＦに装着するケプラー光学系であるアングルファインダＡＮＦの実施例を表２に示す。
【００１７】
【表２】
0004187310.tif 000003
但し、ｒ１〜ｒ１４：ＡＮＦ各面の曲率半径
ｄ１〜ｄ１３：ＡＮＦ各面の面間隔
ｎ１〜ｎ８：ＡＮＦ各レンズの屈折率
ν１〜ν８：ＡＮＦ各レンズのアッペ数
【００１８】
なお、上記の実施例ではこの発明を一眼レフカメラのプリズムファインダのアングルファインダに実施した場合について説明したが、この発明はそれに限るものではなく、望遠鏡その他のあらゆるケプラー光学系に実施することができる。
【００１９】
【発明の効果】
以上述べたように、この発明によるケプラー光学系は、対物レンズの像面あるいはその近傍に配設したコンデンサレンズを、正のパワーをもつレンズと、負のパワーをもつレンズとを含む少なくとも３枚構成とし、全体として正のパワーを有するようにしたので、視野の一部が半月状にかけるという「隠元豆効果」の原因となる瞳の球面収差、あるいはその他の像面湾曲等の諸収差を有効に補正することが可能になる。
また、上記のケプラー光学系において、請求項２に示すようにコンデンサレンズの各諸元を特定したものは、上記の効果を一層向上させて見えの良好なケプラー光学系を得ることができる。
【図面の簡単な説明】
【図１】この発明の一実施例をプリズムファインダとともに示す構成図である。
【図２】同じくその収差曲線図である。
【図３】ケプラー光学系の隠元豆効果を示す説明図である。
【符号の説明】
Ｒ１〜Ｒ１５：プリズムファインダ各面の曲率半径
Ｄ１〜Ｄ１４：プリズムファインダ各面の面間隔
ｒ１〜ｒ１４：アングルファインダの各面の曲率半径
ｄ１〜ｄ１３：アングルファインダ各面の面間隔
ＰＦ：プリズムファインダ
ＡＮＦ：アングルファインダ
ＯＬ：対物レンズ        ＣＬ：コンデンサレンズ
ＥＬ：接眼レンズ
Ｌ１〜Ｌ３：第１〜第３レンズ
ＳＨ：かげり
【図１】
0004187310.tif 000004
【図２】
0004187310.tif 000005
【図３】
0004187310.tif 000006